(57)【要約】【課題】  スポーツ飲料その他の飲料容器等の液体容器において、キャップを開いたり、閉じたりしやすいキャップ構造において、液漏れ防止が可能な液体ディスペンサーを提供すること。【解決手段】  液体容器の開口部において用いられる液体ディスペンサーは、前記液体容器に該容器の開口部において接続される本体と、前記本体により支持されて、前記液体容器の内側から該容器の開口部を介して液体を流出させる内側開位置と前記開口部を密封する外側閉位置との間において、前記本体に対して移動する弁部材からなる弁とからなる。ばねが含まれて、前記弁部材を前記閉位置の方へと弾性的に付勢する。前記弁部材は、前記弁部材が前記開位置にあるときに、前記液体容器の内側からの液体がそれを介して流出しうる内部通路を有する。【選択図】  図１
2008081130.tif 000002
【特許請求の範囲】
【請求項１】
飲料容器その他の液体容器の開口部において用いられる液体ディスペンサーにおいて、
前記液体容器に前記開口部において接続される本体と、
前記本体により支持されて、前記液体容器の内側から前記開口部を介して液体を流出させる内側開位置と前記開口部を密封する外側閉位置との間において、前記本体に対して移動する弁部材からなる弁と、
前記弁部材を前記閉位置の方へと弾性的に付勢するばね手段とからなり、
前記弁部材は、前記弁部材が前記開位置にあるときに、前記液体容器の内側からの液体がそれを介して流出しうる内部通路を有する液体ディスペンサー。
【請求項２】
前記弁部材を前記閉位置において保持する開封帯を含む請求項１に記載の液体ディスペンサー。
【請求項３】
前記弁部材は、飲用者の口と係合して前記弁部材を前記開位置に移動させる突出部を有する請求項１に記載の液体ディスペンサー。
【請求項４】
前記弁部材の前記突出部は、前記通路を含む請求項３に記載の液体ディスペンサー。
【請求項５】
前記突出部に設けられる飲口と、前記飲口の直後に設けられるとともに、前記弁部材を前記閉位置において保持する開封帯とを含む請求項４に記載の液体ディスペンサー。
【請求項６】
前記弁部材の前記突出部上に係合して前記通路を閉鎖する閉鎖部材を含む請求項４に記載の液体ディスペンサー。
【請求項７】
前記閉鎖部材は、前記突出部に設けられる飲口に接続される請求項６に記載の液体ディスペンサー。
【請求項８】
前記弁部材は、少なくとも部分的に管状である請求項１に記載の液体ディスペンサー。
【請求項９】
前記弁部材は、突出して飲用者の口と係合して前記弁部材を前記開位置に移動させる管状外側端部を有する請求項８に記載の液体ディスペンサー。
【請求項１０】
前記弁部材は、前記通路への入口として作用する少なくとも１個の孔部を有する管状内側端部を有する請求項８に記載の液体ディスペンサー。
【請求項１１】
前記ばね手段は、前記弁部材の前記内側端部に隣接して配置されるとともに、前記内側端部に作用する請求項１０に記載の液体ディスペンサー。
【請求項１２】
前記本体は、前記孔部に隣接して、前記弁部材が前記閉位置にあるときに前記少なくとも１個の孔部を塞ぐ連続部を有し、前記少なくとも１個の孔部は、前記弁部材が前記開位置にあるときは前記連続部との整合状態から逸脱する請求項１０に記載の液体ディスペンサー。
【請求項１３】
前記少なくとも１個の孔部と前記連続部との間における界面は、前記弁部材の移動方向に延在する請求項１２に記載の液体ディスペンサー。
【請求項１４】
前記連続部は、前記本体の管状部の一部分であり、前記管状部は、前記弁部材を共通軸のまわりにおいて同軸的に取り巻き、かつ支持して、前記軸に沿って摺動させる請求項１２に記載の液体ディスペンサー。
【請求項１５】
前記弁部材の前記内側端部は、複数個の前記孔部がそのまわりにおいて形成される管状壁部を有する請求項１４に記載の液体ディスペンサー。
【請求項１６】
前記本体は、前記開口部のまわりにおいて係合するねじ付き内側面を有する円筒状基礎部を有する請求項１に記載の液体ディスペンサー。
【発明の詳細な説明】
【技術分野】
【０００１】
本発明は、漏れ止め式の液体容器に関し、特にスポーツ飲料ボトル用その他の飲料等の容器の液漏れを防ぐための液体ディスペンサーに関する。
【背景技術】
【０００２】
一般的に容器本体を密閉する蓋またはキャップを含むとともに、使用者が前記キャップを介して飲む、特に乳児およびスポーツ用飲料等の漏れ止め式液体容器は、一般に周知であった。前記キャップは、通常、手動または吸引のいずれかにより操作される弁を内蔵する。
本発明は、漏れ止め式であり、かつより便利に使用することができる新規またはさもなければ改良形の液体ディスペンサーを提供することを目的とする。
【０００３】
【特許文献１】特開平１０−８６９５６号公報
【特許文献２】特開２００４−１２３１５４号公報
【発明の開示】
【発明が解決しようとする課題】
【０００４】
特開平１０−８６９５６「ボトル容器」においては、合成樹脂製のボトル容器の口部のキャップから漏れを生じたり、空気の侵入により内容物が腐敗することを解決するための構造が開示されている。
ボトル容器の口部に、口縁部に設けてある径大部と、その下部に設けてある径小部からなる係合部を設け、径小部の下部には全周にわたり外面側が下方へ末広がりになるよう肉厚に形成された補強部が設けられ、さらに径小部の下側には外部へ突出したフランジ部が全周にわたり設けてあるものである。
【０００５】
特開２００４−１２３１５４「中栓付きキャップ」においては、閉栓時の液密性をより一層高められるように改良された中栓付きキャップが提案されている。
ボトルの口に取り付けられる中栓と、中栓に被せられるオーバーキャップと、中栓に摺合したスライド弁と、オーバーキャップとスライド弁との間の係合手段とを有し、オーバーキャップの中栓に対する着脱運動に連れてスライド弁が開閉運動を行うようにしてなる中栓付きキャップを、中栓の軸線方向端面に密接し得るフランジ状部分がスライド弁に形成されると共に、中栓とオーバーキャップとの互いの対向面のそれぞれに、閉栓時に互いに密接し得る環状凸部が形成されたものである。
【０００６】
こうした従来の技術は、キャップをした状態での液漏れ防止を解決することに重点が置かれており、キャップを開いた状態や、偶発的に開いてしまった場合の液漏れ防止に有効なものではない。
とりわけ、スポーツ飲料など、激しい運動状態あるいは一瞬の時間内でキャップを開いたり、閉じたりしやすいキャップ構造において、液漏れ防止をすることが求められていた。
【課題を解決するための手段】
【０００７】
上記課題を解決するため、本発明によれば、液体容器の開口部において用いられる液体ディスペンサーにおいて、前記液体容器に前記開口部において接続される本体と、前記本体により支持されて、前記液体容器の内側から前記開口部を介して液体を流出させる内側開位置と前記開口部を密封する外側閉位置との間において、前記本体に対して移動する弁部材からなる弁とからなる液体ディスペンサーが得られる。ばね手段が含まれて、前記弁部材を前記閉位置の方へと弾性的に付勢する。前記弁部材は、前記弁部材が前記開位置にあるときに、前記液体容器の内側からの液体がそれを介して流出しうる内部通路を有する。
好ましくは、前記液体ディスペンサーは、前記弁部材を前記閉位置において保持する開封帯を含む。
ひとつの好適な実施形態において、前記弁部材は、飲用者の口と係合して前記弁部材を前記開位置に移動させる突出部を有する。
【０００８】
より好ましくは、前記弁部材の前記突出部は、前記通路を含む。
さらに好ましくは、前記液体ディスペンサーは、前記突出部に設けられる飲口と、前記飲口の直後に設けられるとともに、前記弁部材を前記閉位置において保持する開封帯とを含む。
さらに好ましくは、前記液体ディスペンサーは、前記弁部材の前記突出部上に係合して前記通路を閉鎖する閉鎖部材を含む。
さらに一層好ましくは、前記閉鎖部材は、前記突出部に設けられる飲口に接続される。
【０００９】
ある好適な実施形態において、前記弁部材は、少なくとも部分的に管状である。
より好ましくは、前記弁部材は、突出して飲用者の口と係合して前記弁部材を前記開位置に移動させる管状外側端部を有する。
より好ましくは、前記弁部材は、前記通路への入口として作用する少なくとも１個の孔部を有する管状内側端部を有する。
【００１０】
さらにより好ましくは、前記ばね手段は、前記弁部材の前記内側端部に隣接して配置されるとともに、前記内側端部に作用する。
さらにより好ましくは、前記本体は、前記孔部に隣接して、前記弁部材が前記閉位置にあるときに前記少なくとも１個の孔部を塞ぐ連続部を有し、前記少なくとも１個の孔部は、前記弁部材が前記開位置にあるときは前記連続部との整合状態から逸脱する。
さらに一層好ましくは、前記少なくとも１個の孔部と前記連続部との間における界面は、前記弁部材の移動方向に延在する。
【００１１】
さらに一層好ましくは、前記連続部は、前記本体の前記管状部の一部分であり、前記管状部は、前記弁部材を共通軸のまわりにおいて同軸的に取り巻き、かつ支持して、前記軸に沿って摺動させる。
またさらに一層好ましくは、前記弁部材の前記内側端部は、複数個の前記孔部がそのまわりにおいて形成される管状壁部を有する。
前記本体は、前記開口部のまわりにおいて係合するねじ付き内側面を有する内筒状基礎部を有することが好ましい。
【発明の効果】
【００１２】
本発明によれば、スポーツ飲料その他の飲料容器等の液体容器において、キャップを開いたり、閉じたりしやすいキャップ構造において、液漏れ防止が可能な液体ディスペンサーを提供することができる。
【発明を実施するための最良の形態】
【００１３】
添付図面を参照して、以下に単なる例証として本発明をより具体的に説明する。
図１は、液体容器の開口部に用いられる本発明にしたがった液体ディスペンサーの実施形態の側面図である。
図２は、前記液体ディスペンサーの栓が解除されて示されている、図１と同様の側面図である。
図３は、図１の液体ディスペンサーの内部構造を示す側断面図である。
図４は、前記液体ディスペンサーの栓が解除されるとともに、その内部の弁が押し開けられて示されている、図３と同様の側断面図である。
【００１４】
図面を参照すると、給水ボトル１０の首部９における開口部８等の、液体容器の開口部において用いられる本発明を具現する液体ディスペンサー１００が示されており、前記液体ディスペンサーは、前記給水ボトル１０に該給水ボトルの開口部８において接続される本体１１０と、手動操作弁とを有する。前記弁は、一般的に前記本体１１０内に配設されて、前記給水ボトル１０が転倒せしめられて用いられるときに、前記給水ボトル１０の内側からの水の流れを制御する弁部材１２０からなる。
前記本体１１０は、その背後において首部９が一般に周知のように雄ねじを有して形成される給水ボトル開口部８のまわりにおいて係合するねじ付き内側面１１２を有する円筒状基礎部１１１を含む。前記基礎部１１１から垂直方向上方に、前記弁部材１２０を支持するより小直径の一体的に接続される円筒状スリーブ１１３が延在する。
【００１５】
前記弁部材１２０は、前記スリーブ１１３の内径よりわずかに小さい外径を有するとともに、自身の対向する外側／上側および内側／下側管状端部１２１および１２２のいずれもが露出される状態で前記スリーブ１１３を貫通して下側から挿入される円筒管である。前記弁部材１２０は、前記スリーブ１１３により、滑り嵌めのように共通の縦軸のまわりにおいて同軸的に取り巻かれ、かつ支持されて、前記軸に沿って上方および下方に摺動する。
【００１６】
前記外側端部１２１は、前記スリーブ１１３から突出して、飲用者の口と係合して前記弁部材１２０をさらに前記スリーブ１１３内に押し込んで前記弁を開かせる。前記内側端部１２２は、そのまわりにおいて等角的に４個の孔部１２４が底部付近において形成される周縁壁部を有し、前記底部は、端壁部１２３により閉鎖される。円形底部フランジ１２５は、前記内側端部１２２が前記スリーブ１１３内に完全に入り込んでしまわないように保持する。
【００１７】
前記弁部材１２０の内側は、その略全長に沿って、給水ボトル１０が転倒せしめられるとともに前記弁が開かれたときに給水ボトル１０の内側からの水がそれを介し、かつそれに沿って流出しうる管状通路Ｘを形成する。この目的のために、底部孔部１２４は、共同で前記通路Ｘへの入口として作用し、弁部材１２０の最上側開口部は、出口となる。前記孔部１２４は、スリーブ１１３の最下側端部に隣接して配置される。
前記弁部材１２０は、スリーブ１１３に対して対向方向に、前記弁が開弁するとともに前記給水ボトル１０の内側から該給水ボトルの開口部８を介して水が流出することを可能にする内側開位置（図４）と、前記弁が閉弁するとともに前記開口部８を密封する外側閉位置（図３）との間において、垂直方向に摺動可能である。
【００１８】
逆さ中華鍋形の板ばね１３０は、本体１１０内において、弁部材１２０の真下の位置に配置され、前記板ばねは、前記内側端部１２２に作用して、前記弁部材１２を該弁部材の外側閉位置の方へと上方に弾性的に付勢する。前記弁は、これにより、ノーマルクローズ弁となる。
【００１９】
スリーブ１１３の円筒状壁部の残りの部分と同様に、前記壁部の最下側端部は連続的であり、該端部は、前記弁部材１２０が自身の外側閉位置にあるときに全ての４個の孔部１２４と整合するとともに、前記孔部を塞ぎ、以って水はスリーブ１１３内に流入することができなくなる。前記孔部１２４と前記連続壁部との間における界面は、垂直方向、すなわち前記弁部材１２０の移動方向に延在する。
内側開位置において、前記弁部材１２０は、本体１１０内へとさらに摺動せしめられて、自身の孔部１２４を移動させて前記スリーブ１１３の最下側端部との整合状態から逸脱させて、前記最下側端部を超えて延在する。孔部１２４がもはや塞がれていないため、この時点で、水は、スリーブ１１３内へと流入するとともに、通路Ｘを介して流出しうる（図４）。
【００２０】
管状飲口１４０は、弁部材１２０の突出する外側端部１２１上に、かつ該端部のまわりにおいて密嵌せしめられて、前記弁部材と同軸的に接合される。前記飲口１４０は、飲用者が給水ボトル１０から水を飲むときに、該飲用者の口唇と当接する一体的な半径方向フランジ１４１を有する。
栓１４２は、一体的帯体により前記フランジ１４１に接続されて、前記飲口１４０を、すなわち間接的に前記弁部材１２０の外側端部１２１を塞いで、前記通路Ｘを該通路の外側端部において閉鎖する。衛生の目的を除いて、前記栓１４２は、前記弁が意図せずに開かれた場合、すなわち前記弁部材１２０が偶然に押圧された場合に、水が漏出するのを防ぐために用いられる。
【００２１】
開封帯１４３は、飲口１４０の下側端部において、該飲口に一体的に接続されて設けられて、びん入り飲料の購入および使用前において弁部材１２０を外側閉位置に固定する。この開封帯１４３は、飲口１４０の直後に配置される。前記開封帯は、飲口１４０とスリーブ１１３との間において、前記弁部材１２０の、さもなければ露出される部分のまわりに延在して、前記両者間における環状の間隙を占めて、弁部材１２０のあらゆる下方移動を防ぐ。
【００２２】
本発明の主題の前記液体ディスペンサー１００は、前記弁部材１２０を内方に押圧して前記弁を開かせなければならず、これは、使用者が給水ボトル開口部８を自身の口に持ってくる方向と一致するため、非常に使い勝手がよい。前記弁部材１２０は、ばね１３０の作用下において、解除と同時に自動的に復帰し、以って前記弁が閉じられる。したがって、前記弁は、使用者によるいかなる余分な力および作用も必要としない。
好都合なことに、前記主題の液体ディスペンサーの全ての構成要素は、食品／飲料用等級の成形塑性材料により製作される。
【００２３】
漏れ止めは、弁部材１２０とスリーブ１１３との直径間における許容差に依存するため、効果的であり、容易に達成されうる。特に、弁部材１２０とスリーブ１１３とをより長尺に製作して、より良好な密封を確保することができる。さらにまた、流量は、孔部１２４の個数および／または大きさを変化させることによって容易に調節されうる。
【００２４】
本発明は、例証的に示されただけであり、添付の特許請求の範囲に記載されるところの本発明の範囲から逸脱することなく、前記実施形態に対するさまざまな改変および／または変更が、当業者により行なわれうる。
【産業上の利用可能性】
【００２５】
本発明によれば、スポーツ飲料その他の飲料容器等の液体容器において、キャップを開いたり、閉じたりしやすいキャップ構造において、液漏れ防止が可能な液体ディスペンサーを提供することができる。
【図面の簡単な説明】
【００２６】
【図１】液体容器の開口部に用いられる本発明にしたがった液体ディスペンサーの実施形態の側面図である。
【図２】前記液体ディスペンサーの栓が解除されて示されている、図１と同様の側面図である。
【図３】図１の液体ディスペンサーの内部構造を示す側断面図である。
【図４】前記液体ディスペンサーの栓が解除されるとともに、その内部の弁が押し開けられて示されている、図３と同様の側断面図である。
【図１】
2008081130.tif 000003
【図２】
2008081130.tif 000004
【図３】
2008081130.tif 000005
【図４】
2008081130.tif 000006